(57)【特許請求の範囲】
【請求項１】
ユーザ端末機と、ユーザ端末機に表示される情報提供画面を介して任意の情報を提供する情報提供サイトと、前記情報提供サイトにより提供される情報を補完する補完情報を提供するとともに、検索情報に基づいて前記情報提供サイトを検索する検索サービスを行う補完情報提供サイトとがネットワーク接続され、前記情報提供サイトには、前記ユーザ端末機に表示される情報提供画面から前記補完情報提供サイトにアクセスするためのリンクデータと当該情報提供サイトへのアクセスデータとが登録されているコンピュータネットワークにおいて、前記検索情報を蓄積する検索情報蓄積方法であって、
前記情報提供サイトにより提供される前記リンクデータに基づいて前記ユーザ端末機の前記情報提供画面から前記補完情報提供サイトにアクセスされると、前記情報提供サイトに登録されている前記アクセスデータを前記補完情報提供サイトにて受信し、当該アクセスデータを、前記ユーザ端末機の情報提供画面から入力される検索条件に基づいて前記検索サービスを行うための前記検索情報として、前記補完情報提供サイトの検索情報データベースに記録すること、
を特徴とする検索情報の蓄積方法。
【請求項２】
前記アクセスデータは、前記情報提供サイトにより提供される情報のＵＲＬと内容を示すデータを有すること、
を特徴とする請求項１に記載の検索情報蓄積方法。
【請求項３】
前記検索情報データベースに、前記アクセスデータとともに、前記情報提供サイトにより提供される前記リンクデータに基づいて前記ユーザ端末機の前記情報提供画面からアクセスされた日時を記録すること、
を特徴とする請求項１に記載の検索情報蓄積方法。
【請求項４】
前記検索情報データベースに、前記アクセスデータとともに、同一の情報提供画面からのアクセスの回数を記録すること、
を特徴とする請求項１に記載の検索情報蓄積方法。
【請求項５】
前記情報提供サイトは、スポット情報を提供するスポット情報提供サイトであること、
を特徴とする請求項１に記載の検索情報蓄積方法。
【請求項６】
前記補完情報提供サイトは、前記情報提供画面に地図画像を表示させるための地図情報を提供する地図情報提供サイトであること、
を特徴とする請求項１に記載の検索情報蓄積方法。
【請求項７】
ユーザ端末機と、
ユーザ端末機に表示される情報提供画面を介して任意の情報を提供する情報提供サイトと、
前記情報提供サイトにより提供される情報を補完する補完情報を提供するとともに、検索情報に基づいて前記情報提供サイトを検索する検索サービスを行う補完情報提供サイトとがネットワーク接続されたコンピュータネットワークシステムにおいて、
前記情報提供サイトは、
前記ユーザ端末機に表示される情報提供画面から前記補完情報提供サイトにアクセスするためのリンクデータと当該情報提供サイトへのアクセスデータとが登録されたデータベースと、
前記データベースに登録されているリンクデータに基づいて前記ユーザ端末機に表示される情報提供画面から前記補完情報提供サイトにアクセスされると、前記データベースに登録されているアクセスデータを前記補完情報提供サイトへ送信する送信手段とを備え、
前記補完情報提供サイトは、
前記情報提供サイトの前記送信手段により送信されてくる前記アクセスデータを、前記ユーザ端末機の情報提供画面から入力される検索条件に基づいて前記検索サービスを行うための前記検索情報として記録する検索情報データベースを備えること、
を特徴とするコンピュータネットワークシステム。
【請求項８】
前記アクセスデータは、前記情報提供サイトにより提供される情報のＵＲＬと内容を示すデータを有すること、
を特徴とする請求項７に記載のコンピュータネットワークシステム。
【請求項９】
前記検索情報データベースは、前記アクセスデータとともに、前記情報提供サイトにより提供される前記リンクデータに基づいて前記ユーザ端末機の前記情報提供画面からアクセスされた日時を記録すること、
を特徴とする請求項７に記載のコンピュータネットワークシステム。
【請求項１０】
前記検索情報データベースは、前記アクセスデータとともに、同一の情報提供画面からのアクセスの回数を記録すること、
を特徴とする請求項７に記載のコンピュータネットワークシステム。
【請求項１１】
前記情報提供サイトは、スポット情報を提供するスポット情報提供サイトであること、
を特徴とする請求項７に記載のコンピュータネットワークシステム。
【請求項１２】
前記補完情報提供サイトは、前記情報提供画面に地図画像を表示させるための地図情報を提供する地図情報提供サイトであること、
を特徴とする請求項７に記載のコンピュータネットワークシステム。
【発明の詳細な説明】
【０００１】
【発明の属する技術分野】
この発明は、コンピュータネットワークにおいて、スポット情報等を提供する情報提供サイトの検索を行うための情報を蓄積する方法およびこの方法を実施するシステムに関する。
【０００２】
【発明が解決しようとする課題】
近年、マイクロコンピュータ等の情報端末機の普及に伴って、インターネットやＷＡＮ，ＭＡＮなどのコンピュータネットワークを利用した情報提供サービスが急速に拡充されてきている。
【０００３】
このような情報提供サービスには、例えば、スポット情報提供サイトからユーザに対してグルメ情報やショッピング情報等のスポット情報を提供するものや、スポット情報を表示するＷＷＷページとリンクしてそのスポット情報に関連する地図情報等を提供するもの等がある。
【０００４】
図３は、インターネットを介して行われる上記のような情報提供サービスシステムの一例を示している。
この図３において、インターネットＩには、レストランの紹介等のグルメ情報を提供するスポット情報提供サイトＳＡやショッピング情報などの各種のスポット情報を提供する様々なスポット情報提供サイト（図示せず）が接続されており、さらに、これらのスポット情報提供サイトのＷＷＷページとリンクして地図情報の提供を行う地図データベースサイトＳＢが接続されている。
【０００５】
ユーザは、スポット情報提供サイトＳＡやその他のスポット情報提供サイトにユーザ端末機ＴからインターネットＩを介してアクセスして、所望の情報を得るための検索条件の入力を行うと、例えば、スポット情報提供サイトＳＡのＷＷＷサーバＳＡａが、データベースＳＡｂから検索条件に適合するスポット情報を読み出してユーザ端末機Ｔに送信し、ユーザ端末機Ｔのディスプレイに、図４（ａ）に示されるようなグルメ情報を示すＷＷＷページＰを表示させる。
【０００６】
このようなスポット情報を表示するＷＷＷページＰには、表示されたスポットの所在地を示す地図画像を表示するためのハイパリンクＨＬが埋め込まれており、ユーザがこのハイパリンクＨＬをクリックすると、ユーザ端末機Ｔは、ハイパリンクＨＬが示すＵＲＬによってインターネットＩを介して地図データベースサイトＳＢにアクセスする。
【０００７】
そして、このユーザ端末機Ｔからのアクセスによって、地図データベースサイトＳＢの地図サーバＳＢａが、地図情報データベースＳＢｂからハイパリンクＨＬに対応する地図データを読み出して、その地図データをユーザ端末機Ｔに送信し、図５に示されるように、ＷＷＷページＰ上に地図画像Ｍを表示させる。
【０００８】
また、一方、上記の様な地図情報の提供を行う地図データベースサイトＳＢにおいても、近年、スポット情報の検索サービスが行われるようになっている。
【０００９】
この地図データベースサイトＳＢによる検索サービスを利用する場合に、ユーザが、ユーザ端末機ＴからインターネットＩを介して地図データベースサイトＳＢにアクセスして所望の検索条件を入力すると、地図データベースサイトＳＢの地図サーバＳＢａが、検索情報データベースＳＢｃの検索を行って、この検索情報データベースＳＢｃから読み出した検索条件に適合するスポット情報提供サイトＳＡなどのスポット情報提供サイトのＵＲＬを示す検索データをユーザ端末機Ｔに送信する。
【００１０】
そして、この検索データを受信したユーザ端末機Ｔは、その検索データが示すＵＲＬに基づいて、スポット情報提供サイトＳＡや他のスポット情報提供サイトにインターネットＩを介してアクセスし、それぞれのスポット情報提供サイトから送信されてくるスポット情報を受信してディスプレイに表示することにより、ユーザの利用に供している。
【００１１】
上記のように、地図データベースサイトＳＢがスポット情報の検索サービスを行う場合の検索データベースＳＢｃに蓄積されるＵＲＬ等の検索用データの収集は、従来は、検索の対象となるスポット情報提供サイト（以下、リンク元サイトという）の運営者と提携して、それぞれのリンク元サイトから一括してその提供を受けることにより行われている。
【００１２】
このため、地図データベースサイトＳＢの運営者側において、ユーザに最新の検索結果の提供を行うためには、常に新しいリンク元サイトに関する検索用データの収集を行って検索データベースＳＢｃの更新作業を繁雑に行う必要があり、このために多大な労力を必要とし、さらに、いくら煩雑に更新作業を行っても、検索によってユーザ側に提供された検索結果が既に古くなっていて、ユーザがその検索結果に基づいてスポット情報提供サイトにアクセスしても、そのスポット情報提供サイトが既に閉鎖されているといったケースが発生してしまうという問題が生じてくる。
【００１３】
また、リンク元サイト側においても、地図データベースサイトＳＢで行っている検索サービスの検索対象に登録してもらうためには、地図データベースサイトＳＢの運営者側と提携を行って、自己のスポット情報提供サイトに関する検索用データの提供を行う必要がある。
【００１４】
この発明は、上記のようなコンピュータネットワークにおいて情報提供サイトの検索情報を蓄積する際の問題点を解決するために為されたものである。
【００１５】
すなわち、この発明は、ユーザに対して常に新鮮で信頼性の高い情報提供サイトの検索を行うことが出来るとともに、検索サービスを行う検索サイトの運営者および検索の対象となる情報提供サイトの運営者の負担を双方ともに軽減することが出来る検索情報の蓄積方法を提供することを第１の目的としている。
さらに、この発明は上記検索情報の蓄積方法を実施するためのシステムを提供することを第２の目的とする。
【００１６】
【課題を解決するための手段】
第１の発明による検索情報蓄積方法は、上記第１の目的を達成するために、ユーザ端末機と、ユーザ端末機に表示される情報提供画面を介して任意の情報を提供する情報提供サイトと、前記情報提供サイトにより提供される情報を補完する補完情報を提供するとともに、検索情報に基づいて前記情報提供サイトを検索する検索サービスを行う補完情報提供サイトとがネットワーク接続され、前記情報提供サイトには、前記ユーザ端末機に表示される情報提供画面から前記補完情報提供サイトにアクセスするためのリンクデータと当該情報提供サイトへのアクセスデータとが登録されているコンピュータネットワークにおいて、前記検索情報を蓄積する検索情報蓄積方法であって、
前記情報提供サイトにより提供される前記リンクデータに基づいて前記ユーザ端末機の前記情報提供画面から前記補完情報提供サイトにアクセスされると、前記情報提供サイトに登録されている前記アクセスデータを前記補完情報提供サイトにて受信し、当該アクセスデータを、前記ユーザ端末機の情報提供画面から入力される検索条件に基づいて前記検索サービスを行うための前記検索情報として、前記補完情報提供サイトの検索情報データベースに記録すること、を特徴としている。
【００１７】
この第１の発明によるコンピュータネットワークにおける検索情報の蓄積方法によれば、ユーザ端末機が、任意の情報提供サイトにアクセスし、さらに、この情報提供サイトによって表示される情報提供画面のリンクデータによって補完情報提供サイトにアクセスした際に、情報提供サイトに登録されているこの情報提供サイトにアクセスするための例えばＵＲＬなどの情報を含むアクセスデータがユーザ端末機を介して補完情報提供サイトに送信されて、この補完情報提供サイトの検索情報データベースに記録される。
【００１８】
そして、この検索情報データベースに記録された情報提供サイトへのアクセスデータは、補完情報提供サイトがユーザ端末機に対して情報提供サイトの検索サービスを提供する際に、検索情報として利用される。
【００１９】
以上のように、上記第１の発明によれば、情報提供サイトによる情報提供画面からのリンクによって補完情報提供サイトにアクセスがある毎に、補完情報提供サイトの検索情報データベースにその情報提供サイトへのアクセスデータが検索情報として蓄積されることにより、補完情報提供サイトにおいて、情報提供サイトの検索サービスのための検索情報が自動的に収集されて蓄積されるので、従来のように、補完情報提供サイトの運営者が各情報提供サイトの運営者と提携を行って検索情報の提供を受ける必要が無くなり、これによって、双方の負担を大幅に軽減することが出来るようになる。
【００２０】
そして、補完情報提供サイトにおいて、検索情報データベースの検索情報が自動的に更新されてゆくので、ユーザに対して常に最新の検索サービスを行うことが出来るようになるとともに、実際に補完情報提供サイトにアクセスがあった情報提供サイトのアクセスデータを検索情報として検索サービスが行われるので、検索結果に対して高い信頼性を確保することが出来るようになる。
【００２１】
さらに、情報提供サイトの側においても、補完情報提供サイトへのリンクによるアクセスによって自動的に自己の検索情報を補完情報提供サイトに登録することが出来るので、補完情報提供サイトにおける検索サービスによるアクセス数の増加を図ることが出来るようになる。
【００２２】
第２の発明によるコンピュータネットワークにおける検索情報の蓄積方法は、前記第１の目的を達成するために、第１の発明の構成に加えて、前記情報提供サイトへのアクセスデータが、この情報提供サイトによって提供される情報のＵＲＬと内容を示すデータを含んでいることを特徴としている。
【００２３】
この第２の発明によるコンピュータネットワークにおける検索情報の蓄積方法によれば、補完情報提供サイトの検索情報データベースに、検索対象の情報提供サイトよって提供される情報のコンピュータネットワーク上における保存場所を示すＵＲＬとその情報の内容を示す名称とが登録されることによって、補完情報提供サイトにおける検索サービスを確実に行うことが出来るようになる。
【００２４】
第３の発明によるコンピュータネットワークにおける検索情報の蓄積方法は、前記第１の目的を達成するために、第１の発明の構成に加えて、前記補完情報提供サイトの検索情報データベースに、前記アクセスデータとともに、前記情報提供サイトのリンクデータに基づくユーザ端末機からのアクセスの日時を記録することを特徴としている。
【００２５】
この第３の発明によるコンピュータネットワークにおける検索情報の蓄積方法によれば、情報提供サイトへのアクセスデータが、その情報提供サイトのリンクデータに基づくユーザ端末機から補完情報提供サイトへのアクセスの日時とともに補完情報提供サイトの検索情報データベースに記録されるので、補完情報提供サイトによる検索サービスの際に、検索情報データベースに記録された検索情報（アクセスデータ）のうち登録の日時（アクセスの日時）が新しいものから検索が行われるようにすることによって、常に検索結果に対する高い信頼性を確保することが出来るようになる。
【００２６】
第４の発明によるコンピュータネットワークにおける検索情報の蓄積方法は、前記第１の目的を達成するために、第１の発明の構成に加えて、前記補完情報提供サイトの検索情報データベースに、前記アクセスデータとともに、同一の情報提供画面からのアクセスの回数を記録することを特徴としている。
【００２７】
この第４の発明によるコンピュータネットワークにおける検索情報の蓄積方法によれば、情報提供サイトへのアクセスデータが、その情報提供サイトのリンクデータに基づくユーザ端末機から補完情報提供サイトへのアクセスの回数とともに補完情報提供サイトの検索情報データベースに記録されるので、補完情報提供サイトによる検索サービスの際に、検索情報データベースに記録された検索情報（アクセスデータ）のうち補完情報提供サイトへのアクセス回数が多いものから検索が行われるようにすることによって、常に検索結果に対する高い信頼性を確保することが出来るようになる。
【００２８】
第５の発明によるコンピュータネットワークにおける検索情報の蓄積方法は、前記第１の目的を達成するために、前記情報提供サイトが、ユーザに対してスポット情報を提供するスポット情報提供サイトであることを特徴としている。
【００２９】
この第５の発明によるコンピュータネットワークにおける検索情報の蓄積方法によれば、例えば、それぞれグルメやショッピングに関するスポット情報を提供するスポット情報提供サイトに対するアクセスデータが、このスポット情報提供サイトの検索サービスを行う補完情報提供サイトに検索情報として蓄積される。
【００３０】
第６の発明によるコンピュータネットワークにおける検索情報の蓄積方法は、前記第１の目的を達成するために、前記補完情報提供サイトが、情報提供サイトによる情報提供画面に地図画像を表示するための地図情報を提供する地図情報提供サイトであることを特徴としている。
【００３１】
この第６の発明によるコンピュータネットワークにおける検索情報の蓄積方法によれば、情報提供サイトによる例えばレストランなどのグルメ情報を表示する情報提供画面にそのレストランなどの場所を示す地図を表示させるために、この情報提供画面からのリンクによって地図情報提供サイトにアクセスがあった際に、この情報提供サイトへのアクセスデータが、地図情報提供サイトの検索情報データベースに検索サービスを行うための検索情報として記録される。
【００３２】
第７の発明によるコンピュータネットワークシステムは、前記第２の目的を達成するために、ユーザ端末機と、ユーザ端末機に表示される情報提供画面を介して任意の情報を提供する情報提供サイトと、前記情報提供サイトにより提供される情報を補完する補完情報を提供するとともに、検索情報に基づいて前記情報提供サイトを検索する検索サービスを行う補完情報提供サイトとがネットワーク接続されたコンピュータネットワークシステムにおいて、前記情報提供サイトは、前記ユーザ端末機に表示される情報提供画面から前記補完情報提供サイトにアクセスするためのリンクデータと当該情報提供サイトへのアクセスデータとが登録されたデータベースと、前記データベースに登録されているリンクデータに基づいて前記ユーザ端末機に表示される情報提供画面から前記補完情報提供サイトにアクセスされると、前記データベースに登録されているアクセスデータを前記補完情報提供サイトへ送信する送信手段とを備え、
前記補完情報提供サイトは、前記情報提供サイトの前記送信手段により送信されてくる前記アクセスデータを、前記ユーザ端末機の情報提供画面から入力される検索条件に基づいて前記検索サービスを行うための前記検索情報として記録する検索情報データベースを備えること、を特徴としている。
【００３３】
この第７の発明によるコンピュータネットワークにおける検索情報の蓄積システムによれば、ユーザ端末機が、任意の情報提供サイトにアクセスし、さらに、この情報提供サイトによって表示される情報提供画面のリンクデータによって補完情報提供サイトにアクセスした際に、情報提供サイトのアクセスデータ登録データベースに登録されているこの情報提供サイトにアクセスするための例えばＵＲＬなどの情報を含むアクセスデータが、アクセスデータ送信手段によって読み出されて、ユーザ端末機を介して補完情報提供サイトに送信される。
【００３４】
そして、補完情報提供サイトにおいて、情報提供サイト側からのアクセスによって送信されてきた情報提供サイトへのアクセスデータは、検索情報記録手段によって補完情報提供サイトの検索情報データベースに記録され、補完情報提供サイトがユーザ端末機に対して情報提供サイトの検索サービスを行う際に、検索情報として利用される。
【００３５】
以上のように、上記第７の発明によれば、情報提供サイトによる情報提供画面からのリンクによって補完情報提供サイトにアクセスがある毎に、補完情報提供サイトの検索情報データベースにその情報提供サイトへのアクセスデータが検索情報として蓄積されることにより、補完情報提供サイトにおいて、情報提供サイトの検索サービスのための検索情報が自動的に収集されて蓄積されるので、従来のように、補完情報提供サイトの運営者が各情報提供サイトの運営者と提携を行って検索情報の提供を受ける必要が無くなり、これによって、双方の負担を大幅に軽減することが出来るようになる。
【００３６】
そして、補完情報提供サイトにおいて、検索情報データベースの検索情報が自動的に更新されてゆくので、ユーザに対して常に最新の検索サービスを行うことが出来るようになるとともに、実際に補完情報提供サイトにアクセスがあった情報提供サイトのアクセスデータを検索情報として検索サービスが行われるので、検索結果に対して高い信頼性を確保することが出来るようになる。
【００３７】
さらに、情報提供サイトの側においても、補完情報提供サイトへのリンクによるアクセスによって自動的に自己の検索情報を補完情報提供サイトに登録することが出来るので、補完情報提供サイトにおける検索サービスによるアクセス数の増加を図ることが出来るようになる。
【００３８】
第８の発明によるコンピュータネットワークにおける検索情報の蓄積システムは、前記第２の目的を達成するために、第７の発明の構成に加えて、前記情報提供サイトのアクセスデータ登録データベースに登録されるアクセスデータが、この情報提供サイトによって提供される情報のＵＲＬと内容を示すデータを含んでいることを特徴としている。
【００３９】
この第８の発明によるコンピュータネットワークにおける検索情報の蓄積システムによれば、補完情報提供サイトの検索情報データベースに、検索対象の情報提供サイトよって提供される情報のコンピュータネットワーク上における保存場所を示すＵＲＬとその情報の内容を示す名称とが登録されることによって、補完情報提供サイトにおける検索サービスが確実に行われるようになる。
【００４０】
第９の発明によるコンピュータネットワークにおける検索情報の蓄積システムは、前記第２の目的を達成するために、第７の発明の構成に加えて、前記検索情報記録手段が、前記アクセスデータとともに前記情報提供画面のリンクデータに基づくユーザ端末機からのアクセスの日時を検索情報データベースに記録することを特徴としている。
【００４１】
この第９の発明によるコンピュータネットワークにおける検索情報の蓄積システムによれば、情報提供サイトへのアクセスデータが、検索情報記録手段によって、その情報提供サイトのリンクデータに基づくユーザ端末機から補完情報提供サイトへのアクセスの日時とともに補完情報提供サイトの検索情報データベースに記録されるので、補完情報提供サイトによる検索サービスの際に、検索情報データベースに記録された検索情報（アクセスデータ）のうち登録の日時（アクセスの日時）が新しいものから検索が行われるようにすることによって、常に検索結果に対する高い信頼性を確保することが出来るようになる。
【００４２】
第１０の発明によるコンピュータネットワークにおける検索情報の蓄積システムは、前記第２の目的を達成するために、第７の発明の構成に加えて、前記検索情報記録手段が、前記アクセスデータとともに同一の情報提供画面からのアクセスの回数を記録することを特徴としている。
【００４３】
この第１０の発明によるコンピュータネットワークにおける検索情報の蓄積システムによれば、情報提供サイトへのアクセスデータが、検索情報記録手段によって、その情報提供サイトのリンクデータに基づくユーザ端末機から補完情報提供サイトへのアクセスの回数とともに補完情報提供サイトの検索情報データベースに記録されるので、補完情報提供サイトによる検索サービスの際に、検索情報データベースに記録された検索情報（アクセスデータ）のうち補完情報提供サイトへのアクセス回数が多いものから検索が行われるようにすることによって、常に検索結果に対する高い信頼性を確保することが出来るようになる。
【００４４】
第１１の発明によるコンピュータネットワークにおける検索情報の蓄積システムは、前記第２の目的を達成するために、第７の発明の構成に加えて、前記情報提供サイトが、ユーザに対してスポット情報を提供するスポット情報提供サイトであることを特徴としている。
【００４５】
この第１１の発明によるコンピュータネットワークにおける検索情報の蓄積システムによれば、例えば、それぞれグルメやショッピングに関するスポット情報を提供するスポット情報提供サイトに対するアクセスデータが、このスポット情報提供サイトの検索サービスを行う補完情報提供サイトに検索情報として蓄積される。
【００４６】
第１２の発明によるコンピュータネットワークにおける検索情報の蓄積システムは、前記第２の目的を達成するために、第７の発明の構成に加えて、前記補完情報提供サイトが、情報提供サイトによる情報提供画面に地図画像を表示するための地図情報を提供する地図情報提供サイトであることを特徴としている。
【００４７】
この第１２の発明によるコンピュータネットワークにおける検索情報の蓄積システムによれば、情報提供サイトによる例えばレストランなどのグルメ情報を表示する情報提供画面にそのレストランなどの場所を示す地図を表示させるために、この情報提供画面からのリンクによって地図情報提供サイトにアクセスがあった際に、この情報提供サイトへのアクセスデータが、地図情報提供サイトの検索情報データベースに検索サービスを行うための検索情報として蓄積される。
【００４８】
【発明の実施の形態】
以下、この発明の最も好適と思われる実施の形態について、図面を参照しながら詳細に説明を行う。
【００４９】
図１は、この発明によるコンピュータネットワークにおける検索情報の蓄積システムの実施形態の一例を示すシステム構成図である。
【００５０】
なお、この発明は、コンピュータネットワークに接続されて、互いにリンクしている他の情報提供サイトの検索サービスを提供する種々の情報提供サイトに適用が可能であるが、以下においては、リンクしている他の情報提供サイトのＷＷＷページに地図情報を提供する地図情報提供サイトを例に挙げ、さらに、コンピュータネットワークとしてインターネットが用いられる場合を例に挙げて説明を行う。
【００５１】
図１において、Ｓ１は、インターネットＩに接続されて地図情報の提供を行うとともにスポット情報提供サイトの検索サービスを行う地図情報提供サイトであり、Ｓ２はインターネットＩに接続されてレストラン等のグルメ情報を提供するスポット情報提供サイト、Ｓ３はインターネットＩに接続されてブティック等のショッピング情報を提供するスポット情報提供サイトである。
【００５２】
そして、インターネットＩには、さらに、図示しない各種のスポット情報提供サイトが接続されている。
【００５３】
さらに、図１中のＴは、ＷＷＷブラウザと呼ばれるアプリケーションプログラムを使用することによってＷＷＷのサービスを受けることができるユーザ端末機であり、それぞれ図示しない公衆電話回線網およびアクセスサーバを介してインターネットＩにアクセスすることにより、地図情報提供サイトＳ１およびスポット情報提供サイトＳ２，Ｓ３…からの情報提供を受けることが出来るようになっている。
【００５４】
地図情報提供サイトＳ１は、地図情報の検索およびスポット情報提供サイトの検索を行って、検索した地図情報やスポット情報提供サイトのアドレス情報をユーザ端末機Ｔに提供する検索サーバＳ１ａと、地図情報が蓄積された地図情報データベースＳ１ｂと、後述するように、スポット情報提供サイトＳ２，Ｓ３…とのリンクによってユーザ端末機Ｔからアクセスがあった際に、そのアクセスしてきたスポット情報提供サイトＳ２，Ｓ３…のアクセス情報を記録するアクセス情報データベースＳ１ｃを備えている。
【００５５】
この地図情報提供サイトＳ１の検索サーバＳ１ａには、後述するように、ユーザ端末機Ｔに表示されているスポット情報のＷＷＷページ（以下、リンク元ページという）に埋め込まれているハイパリンクによってユーザ端末機Ｔから地図情報の送信要求があると、地図情報データベースＳ１ｂを検索して、そのリンク元ページに対応する地図情報（例えば、リンク元ページに表示されているレストランなどの所在地を示す地図画像データ）をユーザ端末機Ｔに送信して表示させるアプリケーション・プログラムが格納されている。
【００５６】
さらに、この検索サーバＳ１ａには、上記のようにリンク元ページからのリンクによってユーザ端末機Ｔから地図情報提供サイトＳ１に地図情報の送信を要求するアクセスがあると、後述するようなリンク元ページからのアクセス情報をアクセス情報データベースＳ１ｃに記録するアプリケーション・プログラム、および、ユーザ端末機Ｔからスポット情報提供サイトＳ２，Ｓ３…によって提供されるスポット情報の検索要求があった際に、アクセス情報データベースＳ１ｃに蓄積されているリンク元ページのアクセス情報を検索することによって、検索条件に適合するＷＷＷページ（リンク元ページ）のアドレス情報をユーザ端末機Ｔに送信するアプリケーション・プログラムが格納されている。
【００５７】
アクセス情報データベースＳ１ｃは、図２に示されるようなアクセス情報記録テーブルＴＡに、地図情報提供サイトＳ１にアクセスしてきたリンク元ページのアクセス情報を記録するようになっている。
【００５８】
すなわち、アクセス情報記録テーブルＴＡには、少なくとも、後述するようなリンク元ページからのアクセス情報に含まれているリンク元ページに表示されるスポット情報のジャンル，名称，リンク元ページのＵＲＬの記録欄が設けられ、さらに、リンク元ページからのアクセス日時およびアクセス回数の記録欄が設けられている。
【００５９】
各スポット情報提供サイトＳ２，Ｓ３…は、それぞれ、ユーザ端末機Ｔからの送信要求に応じてユーザ端末機Ｔにスポット情報を提供するＷＷＷページを表示させるＷＷＷサーバＳ２ａ，Ｓ３ａ…と、レストランやブティック等のスポット情報が蓄積されるスポット情報データベースＳ２ｂ，Ｓ３ｂ…を備えている。
【００６０】
このスポット情報提供サイトＳ２，Ｓ３…のＷＷＷサーバＳ２ａ，Ｓ３ａ…には、それぞれユーザ端末機ＴからインターネットＩを介してアクセスがあると、ユーザ端末機Ｔからの送信要求に対応するスポット情報をスポット情報データベースＳ２ｂ，Ｓ３ｂ…から読み出してユーザ端末機Ｔに送信し、ユーザ端末機Ｔにそのスポット情報を提供するためのＷＷＷページを表示させるアプリケーション・プログラムが格納されている。
【００６１】
スポット情報データベースＳ２ｂ，Ｓ３ｂ…には、それぞれのジャンルのスポット情報が、このスポット情報のＷＷＷページにおける表示画面に埋め込まれるハイパリンクのリンクデータとともに登録される。
【００６２】
この各スポット情報に付随してスポット情報データベースＳ２ｂ，Ｓ３ｂ…に蓄積されるリンクデータには、後述するように、地図情報提供サイトＳ１のＵＲＬやスポット情報に表示される店舗などの座標を示すデータとともに、少なくとも、スポット情報を表示するＷＷＷページのＵＲＬおよびＷＷＷページに表示されるスポットの名称，ジャンルなどのリンク元ページ（ＷＷＷページ）に関するデータが登録される。
【００６３】
上記のようなコンピュータネットワークの地図情報提供サイトＳ１において行われる検索情報の蓄積の手順は、以下の通りである。
すなわち、インターネットＩを介してスポット情報提供サイトＳ２，Ｓ３…のうち任意のサイトに接続されたユーザ端末機Ｔに、ユーザが所望するスポット情報の例えば図４に示されるようなＷＷＷページが表示された後、ユーザが、このＷＷＷページに埋め込まれたハイパリンクをクリックすると、このハイパリンクに登録されているＵＲＬを示すデータに基づいて、ユーザ端末機ＴがインターネットＩを介して地図情報提供サイトＳ１にアクセスする。
【００６４】
そして、このユーザ端末機Ｔによる地図情報提供サイトＳ１へのアクセスによって、リンクデータに含まれているＷＷＷページ（リンク元ページ）に表示されたレストラン等のスポットの地図上の座標データが地図情報提供サイトＳ１に送信され、地図情報提供サイトＳ１の検索サーバＳ１ａは、この座標データに基づいて地図情報データベースＳ１ｂの検索を行って、対応する地図情報を読み出してユーザ端末機Ｔに送信することにより、ユーザ端末機Ｔに表示されているリンク元ページ内に、例えば図５に示されるように、スポットの位置を示す地図画像を表示させる。
【００６５】
このとき、ユーザ端末機Ｔから地図情報提供サイトＳ１には、地図情報の送信のためのリンク元ページのＵＲＬを示すデータやスポットの座標データとともに、リンクデータに含まれているリンク元ページに表示されたスポットの名称およびジャンルなどを示すデータが地図情報提供サイトＳ１に送信される。
【００６６】
地図情報提供サイトＳ１の検索サーバＳ１ａは、このユーザ端末機Ｔからのリンクデータを受信すると、アクセス情報データベースＳ１ｃの図２に示されるようなアクセス情報記録テーブルＴＡの各欄に、受信したリンクデータに含まれているスポットのジャンル，名称，リンク元ページのＵＲＬを、そのときのアクセスの日時とともにそれぞれ記録する。
【００６７】
このとき、ユーザ端末機Ｔから地図情報提供サイトＳ１へのアクセスが同じスポット情報に対するものである場合には、アクセス情報記録テーブルＴＡの既データのアクセス日時を記録する欄に、最新のアクセス日時を上書きするとともに、アクセス回数を記録する欄の数字を加算して記録する。
【００６８】
以上のようにして、スポット情報提供サイトＳ２，Ｓ３…から提供されるスポット情報を表示するＷＷＷページとのリンクによって、ユーザ端末機Ｔから地図情報提供サイトＳ１に地図情報の提供を受けるためのアクセスがある毎に、そのリンク元ページ（ＷＷＷページ）に関するアクセス情報が、地図情報提供サイトＳ１のアクセス情報データベースＳ１ｃに記録される。
【００６９】
そして、ユーザが、地図情報提供サイトＳ１によって提供される検索サービスを利用して所望のスポット情報の検索を行おうとする場合に、地図情報提供サイトＳ１に接続されたユーザ端末機Ｔにスポットの名称や所属するジャンルなどの所要の検索条件を入力すると、地図情報提供サイトＳ１の検索サーバＳ１ａが、ユーザ端末機Ｔに入力された検索条件とアクセス情報データベースＳ１ｃに登録されているアクセス情報記録テーブルＴＡとを照合することによって、このアクセス情報データベースＳ１ｃに蓄積されているアクセス情報の検索を行う。
【００７０】
そして、この検索の結果、検索条件に示されたスポット情報のジャンルおよび名称などと一致するアクセス情報がアクセス情報記録テーブルＴＡ内に記録されているときには、検索サーバＳ１ａは、そのアクセス情報に含まれるＵＲＬデータを読み出してユーザ端末機Ｔに送信する。
【００７１】
このとき、ユーザ端末機Ｔに入力された検索条件に一致するアクセス情報がアクセス情報記録テーブルＴＡに複数存在するときには、アクセス情報記録テーブルＴＡのアクセス情報のアクセス日時およびアクセス回数の記録に基づいて、アクセス日時が最新のアクセス情報、または、アクセス回数が多いアクセス情報のＵＲＬデータが優先してユーザ端末機Ｔに送信される。
【００７２】
ユーザ端末機Ｔは、この地図情報提供サイトＳ１から送信されてＵＲＬデータに基づいてユーザが所望するスポット情報を提供するスポット情報提供サイトの表示を行い、ユーザがこの表示に基づいて接続操作を行うと、インターネットＩを介してそのスポット情報提供サイトへのアクセスを行う。
【００７３】
このようにして、ユーザ端末機ＴにインターネットＩを介して接続されたスポット情報提供サイトＳ２，Ｓ３…は、それぞれ、ＷＷＷサーバＳ２ａ，Ｓ３ａ…が、スポット情報データベースＳ２ｂ，Ｓ３ｂ…からユーザが所望するスポット情報を読み出してユーザ端末機Ｔに送信し、ユーザ端末機Ｔのディスプレイに表示させる。
【００７４】
以上のように、上記のコンピュータネットワークにおける検索情報の蓄積方法およびシステムによれば、地図情報の提供とともにスポット情報の検索サービスを行う地図情報提供サイトＳ１が、スポット情報の検索サービスを行うための検索情報の収集を、リンク元ページからのアクセス情報をアクセス情報データベースＳ１ｃに記録することによって行うので、従来のように、地図情報提供サイトＳ１の運営者がスポット情報の提供を行うスポット情報提供サイトＳ２，Ｓ３…の運営者とそれぞれ提携を行って検索情報の提供を受ける必要が無くなり、双方の負担が大幅に軽減される。
【００７５】
そして、地図情報提供サイトＳ１において、スポット情報提供サイトＳ２，Ｓ３…側からのアクセスによって自動的に最新の検索情報が蓄積されてゆくので、地図情報提供サイトＳ１の運営者が特に検索情報の更新処理を行わなくても、ユーザに対して常に最新の検索サービスを行うことが出来るようになるとともに、実際に地図情報提供サイトＳ１にアクセスがあったスポット情報提供サイトのアクセス情報に基づいて検索サービスが行われることになるので、検索結果に対して高い信頼性を確保することが出来る。
【００７６】
また、スポット情報提供サイトＳ２，Ｓ３…の側においても、地図情報提供サイトＳ１へのアクセスによって自動的に自己の検索情報を地図情報提供サイトＳ１に登録することが出来るので、地図情報提供サイトＳ１における検索サービスによるアクセス数の増加を図ることが出来る。
【図面の簡単な説明】
【図１】この発明の実施形態の一例を示すシステム構成図である。
【図２】同例におけるアクセス情報の記録形態の一例を示す図である。
【図３】従来のコンピュータネットワークを示す図である。
【図４】スポット情報提供サイトによって表示されるＷＷＷページの一例を示す説明図である。
【図５】同ＷＷＷページに地図画像が表示された状態を示す説明図である。
【符号の説明】
Ｓ１            …地図情報提供サイト（補完情報提供サイト）
Ｓ１ａ          …検索サーバ（検索情報記録手段）
Ｓ１ｂ          …地図情報データベース
Ｓ１ｃ          …アクセス情報データベース（検索情報データベース）
Ｓ２，Ｓ３      …スポット情報提供サイト（情報提供サイト）
Ｓ２ａ，Ｓ３ａ  …ＷＷＷサーバ（アクセスデータ送信手段）
Ｓ２ｂ，Ｓ３ｂ  …スポット情報データベース（アクセスデータ登録データベース）
Ｉ              …インターネット（コンピュータネットワーク）
Ｔ              …ユーザ端末機
【図１】
0004297607.tif 000002
【図２】
0004297607.tif 000003
【図３】
0004297607.tif 000004
【図４】
0004297607.tif 000005
【図５】
0004297607.tif 000006